【手続補正書】
【提出日】平成18年7月24日(2006.7.24)
【手続補正１】
【補正対象書類名】明細書
【補正対象項目名】特許請求の範囲
【補正方法】変更
【補正の内容】
【特許請求の範囲】
【請求項１】  移動局と、この移動局とソフトハンドオーバ状態にあって前記移動局と個別チャネルを設定する複数の基地局とを含み、前記個別チャネルは上り及び下り個別チャネルがあり、これ等個別チャネルには互いに他の個別チャネルのための送信電力制御情報が含まれており、ソフトハンドオーバ状態にある基地局のうち特定基地局のみが前記移動局と共用チャネルを設定してパケット送信を行うようにしたセルラシステムであって、
前記移動局は、前記パケット受信中に、パケット送信基地局からの下り個別チャネルに含まれる送信電力制御情報のみに基づいて上り個別チャネルの送信電力制御をなす送信電力制御手段を有することを特徴とするセルラシステム。
【請求項２】  前記パケット送信基地局は、前記パケット送信中に、前記個別チャネルの当該基地局での目標受信品質を第一の値からそれより大なる第二の値に変更制御する手段を有することを特徴とする請求項１記載のセルラシステム。
【請求項３】  前記送信電力制御手段は、前記上り個別チャネルの送信電力の上げ幅を、下げ幅よりも大に設定することを特徴とする請求項１または２記載のセルラシステム。
【請求項４】  移動局と、この移動局とソフトハンドオーバ状態にあって前記移動局と個別チャネルを設定する複数の基地局とを含み、前記個別チャネルは上り及び下り個別チャネルがあり、これ等個別チャネルには互いに他の個別チャネルのための送信電力制御情報が含まれており、ソフトハンドオーバ状態にある基地局のうち特定基地局のみが前記移動局と共用チャネルを設定してパケット送信を行うようにしたセルラシステムであって、
パケット送信基地局は、前記パケット送信中に、下り個別チャネルに含まれる送信電力制御情報の送信電力を第一の値からそれより大なる第二の値に変更制御する手段を有することを特徴とするセルラシステム。
【請求項５】  移動局と、この移動局とソフトハンドオーバ状態にあって前記移動局と個別チャネルを設定する複数の基地局とを含み、前記ソフトハンドオーバ状態にある基地局間における前記個別チャネルの送信電力のバランシングを、基準電力を用いて行い、前記ソフトハンドオーバ状態にある基地局のうち特定基地局のみが前記移動局と共用チャネルを設定してパケット送信を行うようにしたセルラシステムであって、
パケット送信基地局は、前記パケット送信中に、前記基準電力の値を第一の値からより大なる第二の値に変更制御する手段を有することを特徴とするセルラシステム。
【請求項６】  前記パケット送信基地局は、前記基準電力の値を大にすると同時に、下り個別チャネルの送信電力の値を第一の値からより大なる第二の値に変更制御する手段を、更に有することを特徴とする請求項５記載のセルラシステム。
【請求項７】  移動局と、この移動局とソフトハンドオーバ状態にあって前記移動局と個別チャネルを設定する複数の基地局とを含み、前記個別チャネルは上り及び下り個別チャネルがあり、これ等個別チャネルには互いに他の個別チャネルのための送信電力制御情報が含まれており、ソフトハンドオーバ状態にある基地局のうち特定基地局のみが前記移動局と共用チャネルを設定してパケット送信を行うようにしたセルラシステムであって、
前記移動局は、前記パケット受信中に、前記個別チャネルの当該移動局での目標受信品質を第一の値からそれより大なる第二の値に変更制御する手段を有することを特徴とするセルラシステム。
【請求項８】  移動局と、この移動局とソフトハンドオーバ状態にあって前記移動局と個別チャネルを設定する複数の基地局とを含み、前記個別チャネルは上り及び下り個別チャネルがあり、これ等個別チャネルには互いに他の個別チャネルのための送信電力制御情報が含まれており、ソフトハンドオーバ状態にある基地局のうち特定基地局のみが前記移動局と共用チャネルを設定してパケット送信を行うようにしたセルラシステムであって、
前記移動局は、前記パケット受信中に、パケット送信基地局からの前記個別チャネルの当該移動局での受信品質のみに基づき下り個別チャネルの前記電力制御情報を生成する手段を有することを特徴とするセルラシステム。
【請求項９】  移動局と、この移動局とソフトハンドオーバ状態にあって前記移動局と個別チャネルを設定する複数の基地局とを含み、ソフトハンドオーバ状態にある基地局のうち特定基地局のみが前記移動局と共用チャネル（ＨＳ−ＰＤＳＣＨ）を設定してパケット送信を行い、前記移動局は、パケット送信基地局に対して、上り個別チャネルの送信電力に所定オフセット電力を加算した送信電力で、前記パケットの受領確認通知情報を含むＨＳ−ＰＤＳＣＨ用個別制御チャネル（ＨＳ−ＤＰＣＣＨ）を送信するようにしたセルラシステムであって、
前記移動局は、前記ソフトハンドオーバ中の各基地局の下り回線の受信品質に応じて前記オフセット電力の増分を決定するオフセット電力決定手段を有することを特徴とするセルラシステム。
【請求項１０】  前記オフセット電力決定手段は、前記下り回線における共通パイロット信号の各受信電力を測定してこれ等測定結果に応じて前記オフセット電力の増分を決定することを特徴とする請求項９記載のセルラシステム。
【請求項１１】  前記ソフトハンドオーバ中の各基地局に対応する測定結果がＲＰｉ（ｉは１〜Ｎの整数であり、Ｎは当該基地局の数）であり、パケット送信基地局に対応する測定結果がＲＰ１である場合に、前記オフセット電力決定手段は、前記増分を、
１０×ｌｏｇ10｛ｍａｘ（ＲＰｉ）／ＲＰ１｝      （ｄＢ）
（ｍａｘ（ＲＰｉ）はＲＰｉの最大値）
とすることを特徴とする請求項１０記載のセルラシステム。
【請求項１２】  移動局と、この移動局とソフトハンドオーバ状態にあって前記移動局と個別チャネルを設定する複数の基地局とを含み、ソフトハンドオーバ状態にある基地局のうち特定基地局のみが前記移動局と共用チャネル（ＨＳ−ＰＤＳＣＨ）を設定してパケット送信を行い、前記移動局は、パケット送信基地局に対して、上り個別チャネルの送信電力に所定オフセット電力を加算した送信電力で、前記パケットの受領確認通知情報を含むＨＳ−ＰＤＳＣＨ用個別制御チャネル（ＨＳ−ＤＰＣＣＨ）を送信するようにしたセルラシステムであって、
前記移動局は、前記ソフトハンドオーバ中の各基地局の数Ｎに応じて前記オフセット電力の増分を決定するオフセット電力決定手段を有することを特徴とするセルラシステム。
【請求項１３】  前記オフセット電力決定手段は、前記増分を、
１０×ｌｏｇ10Ｎ      （ｄＢ）
とすることを特徴とする請求項１２記載のセルラシステム。
【請求項１４】  移動局と、この移動局とソフトハンドオーバ状態にあって前記移動局と個別チャネルを設定する複数の基地局とを含み、ソフトハンドオーバ状態にある基地局のうち特定基地局のみが前記移動局と共用チャネル（ＨＳ−ＰＤＳＣＨ）を設定してパケット送信を行い、前記移動局は、パケット送信基地局に対して、上り個別チャネルの送信電力に所定オフセット電力を加算した送信電力で、前記パケットの受領確認通知（ＡＣＫ／ＮＡＣＫ）情報を含むＨＳ−ＰＤＳＣＨ用個別制御チャネル（ＨＳ−ＤＰＣＣＨ）を送信するようにしたセルラシステムであって、
パケット送信基地局は、前記受領確認通知の判定結果の信頼度に応じて前記パケットの送信制御をなすパケット送信制御手段を有することを特徴とするセルラシステム。
【請求項１５】  前記パケット送信制御手段は、前記信頼度が所定閾値より大なる場合に、前記受領確認通知の判定結果に従った制御をなすことを特徴とする請求項１４記載のセルラシステム。
【請求項１６】  前記パケット送信制御手段は、前記信頼度が所定閾値より小なる場合に、前記受領確認通知を常に否（ＮＡＣＫ）であると判定することを特徴とする請求項１４記載のセルラシステム。
【請求項１７】  前記パケット送信制御手段は、前記受領確認通知が可（ＡＣｋ）であることを示す旨の判定を行った場合に、前記信頼度に応じた送信制御をなすようにしたことを特徴とする請求項１４〜１６いずれか記載のセルラシステム。
【請求項１８】  前記信頼度は、前記ＨＳ−ＤＰＣＣＨの受信品質であることを特徴とする請求項１４〜１７いずれか記載のセルラシステム。
【請求項１９】  移動局と、この移動局とソフトハンドオーバ状態にあって前記移動局と個別チャネルを設定する複数の基地局とを含み、前記個別チャネルは上り及び下り個別チャネルがあり、これ等個別チャネルには互いに他の個別チャネルのための送信電力制御情報が含まれており、ソフトハンドオーバ状態にある基地局のうち特定基地局のみが前記移動局と共用チャネルを設定してパケット送信を行うようにしたセルラシステムにおける通信制御方法であって、
前記移動局において、パケット受信中に、前記パケット送信基地局からの下り個別チャネルに含まれる送信電力制御情報のみに基づいて上り個別チャネルの送信電力制御をなす送信電力制御ステップを有することを特徴とする通信制御方法。
【請求項２０】  前記パケット送信基地局において、前記パケット送信中に、前記個別チャネルの当該基地局での目標受信品質を第一の値からそれより大なる第二の値に変更制御するステップを有することを特徴とする請求項１９記載の通信制御方法。
【請求項２１】  前記送信電力制御ステップは、前記上り個別チャネルの送信電力の上げ幅を、下げ幅よりも大に設定することを特徴とする請求項１９記載の通信制御方法。
【請求項２２】  移動局と、この移動局とソフトハンドオーバ状態にあって前記移動局と個別チャネルを設定する複数の基地局とを含み、前記個別チャネルは上り及び下り個別チャネルがあり、これ等個別チャネルには互いに他の個別チャネルのための送信電力制御情報が含まれており、ソフトハンドオーバ状態にある基地局のうち特定基地局のみが前記移動局と共用チャネルを設定してパケット送信を行うようにしたセルラシステムにおける通信制御方法であって、
パケット送信基地局において、前記パケット送信中に、下り個別チャネルに含まれる送信電力制御情報の送信電力を第一の値からそれより大なる第二の値に変更制御するステップを有することを特徴とする通信制御方法。
【請求項２３】  移動局と、この移動局とソフトハンドオーバ状態にあって前記移動局と個別チャネルを設定する複数の基地局とを含み、前記ソフトハンドオーバ状態にある基地局間における前記個別チャネルの送信電力のバランシングを、基準電力を用いて行い、前記ソフトハンドオーバ状態にある基地局のうち特定基地局のみが前記移動局と共用チャネルを設定してパケット送信を行うようにしたセルラシステムにおける通信制御方法であって、
パケット送信基地局において、前記パケット送信中に、前記基準電力の値を第一の値からより大なる第二の値に変更制御するステップを含むことを特徴とする通信制御方法。
【請求項２４】  前記パケット送信基地局において、前記基準電力の値を大にすると同時に、下り個別チャネルの送信電力をもより大に変更制御するステップを、更に含むことを特徴とする請求項２３記載の通信制御方法。
【請求項２５】  移動局と、この移動局とソフトハンドオーバ状態にあって前記移動局と個別チャネルを設定する複数の基地局とを含み、前記個別チャネルは上り及び下り個別チャネルがあり、これ等個別チャネルには互いに他の個別チャネルのための送信電力制御情報が含まれており、ソフトハンドオーバ状態にある基地局のうち特定基地局のみが前記移動局と共用チャネルを設定してパケット送信を行うようにしたセルラシステムにおける通信制御方法であって、
前記移動局において、前記パケット受信中に、前記個別チャネルの当該移動局での目標受信品質を第一の値からそれより大なる第二の値に変更制御するステップを有することを特徴とする通信制御方法。
【請求項２６】  移動局と、この移動局とソフトハンドオーバ状態にあって前記移動局と個別チャネルを設定する複数の基地局とを含み、前記個別チャネルは上り及び下り個別チャネルがあり、これ等個別チャネルには互いに他の個別チャネルのための送信電力制御情報が含まれており、ソフトハンドオーバ状態にある基地局のうち特定基地局のみが前記移動局と共用チャネルを設定してパケット送信を行うようにしたセルラシステムにおける通信制御方法であって、
前記移動局において、前記パケット受信中に、パケット送信基地局からの前記個別チャネルの当該移動局での受信品質のみに基づき下り個別チャネルの前記電力制御情報を生成するステップを有することを特徴とする通信制御方法。
【請求項２７】  移動局と、この移動局とソフトハンドオーバ状態にあって前記移動局と個別チャネルを設定する複数の基地局とを含み、ソフトハンドオーバ状態にある基地局のうち特定基地局のみが前記移動局と共用チャネル（ＨＳ−ＰＤＳＣＨ）を設定してパケット送信を行い、前記移動局は、パケット送信基地局に対して、上り個別チャネルの送信電力に所定オフセット電力を加算した送信電力で、前記パケットの受領確認通知情報を含むＨＳ−ＰＤＳＣＨ用個別制御チャネル（ＨＳ−ＤＰＣＣＨ）を送信するようにしたセルラシステムにおける通信制御方法であって、
前記移動局において、前記ソフトハンドオーバ中の各基地局の下り回線の受信品質に応じて前記オフセット電力の増分を決定するオフセット電力決定ステップを有することを特徴とする通信制御方法。
【請求項２８】  前記オフセット電力決定ステップは、前記下り回線における共通パイロット信号の各受信電力を測定してこれ等測定結果に応じて前記オフセット電力の増分を決定することを特徴とする請求項２７記載の通信制御方法。    【請求項２９】  前記ソフトハンドオーバ中の各基地局に対応する測定結果がＲＰｉ（ｉは１〜Ｎの整数であり、Ｎは当該基地局の数）であり、パケット送信基地局に対応する測定結果がＲＰ１である場合に、前記オフセット電力決定ステップは、前記増分を、
１０×ｌｏｇ10｛ｍａｘ（ＲＰｉ）／ＲＰ１｝      （ｄＢ）
（ｍａｘ（ＲＰｉ）はＲＰｉの最大値）
とすることを特徴とする請求項２８記載の通信制御方法。
【請求項３０】  移動局と、この移動局とソフトハンドオーバ状態にあって前記移動局と個別チャネルを設定する複数の基地局とを含み、ソフトハンドオーバ状態にある基地局のうち特定基地局のみが前記移動局と共用チャネル（ＨＳ−ＰＤＳＣＨ）を設定してパケット送信を行い、前記移動局は、パケット送信基地局に対して、上り個別チャネルの送信電力に所定オフセット電力を加算した送信電力で、前記パケットの受領確認通知情報を含むＨＳ−ＰＤＳＣＨ用個別制御チャネル（ＨＳ−ＤＰＣＣＨ）を送信するようにしたセルラシステムにおける通信制御方法であって、
前記移動局において、前記ソフトハンドオーバ中の各基地局の数Ｎに応じて前記オフセット電力の増分を決定するオフセット電力決定ステップを有することを特徴とする通信制御方法。
【請求項３１】  前記オフセット電力決定ステップは、前記増分を、
１０×ｌｏｇ10Ｎ      （ｄＢ）
とすることを特徴とする請求項３０記載の通信制御方法。
【請求項３２】  移動局と、この移動局とソフトハンドオーバ状態にあって前記移動局と個別チャネルを設定する複数の基地局とを含み、ソフトハンドオーバ状態にある基地局のうち特定基地局のみが前記移動局と共用チャネル（ＨＳ−ＰＤＳＣＨ）を設定してパケット送信を行い、前記移動局は、パケット送信基地局に対して、上り個別チャネルの送信電力に所定オフセット電力を加算した送信電力で、前記パケットの受領確認通知（ＡＣＫ／ＮＡＣＫ）情報を含むＨＳ−ＰＤＳＣＨ用個別制御チャネル（ＨＳ−ＤＰＣＣＨ）を送信するようにしたセルラシステムにおける通信制御方法であって、
パケット送信基地局において、前記受領確認通知の判定結果の信頼度に応じて前記パケットの送信制御をなすパケット送信制御ステップを有することを特徴とする通信制御方法。
【請求項３３】  前記パケット送信制御ステップは、前記信頼度が所定閾値より大なる場合に、前記受領確認通知の判定結果に従った制御をなすことを特徴とする請求項３２記載の通信制御方法。
【請求項３４】  前記パケット送信制御ステップは、前記信頼度が所定閾値より小なる場合に、前記受領確認通知を常に否（ＮＡＣＫ）であると判定することを特徴とする請求項３３記載の通信制御方法。
【請求項３５】  前記パケット送信制御ステップは、前記受領確認通知が可（ＡＣｋ）であることを示す旨の判定を行った場合に、前記信頼度に応じた送信制御をなすようにしたことを特徴とする請求項３２〜３４いずれか記載の通信制御方法。
【請求項３６】  前記信頼度は、前記ＨＳ−ＤＰＣＣＨの受信品質であることを特徴とする請求項３２〜３５いずれか記載の通信制御方法。
【請求項３７】  移動局と、この移動局とソフトハンドオーバ状態にあって前記移動局と個別チャネルを設定する複数の基地局とを含み、前記個別チャネルは上り及び下り個別チャネルがあり、これ等個別チャネルには互いに他の個別チャネルのための送信電力制御情報が含まれており、ソフトハンドオーバ状態にある基地局のうち特定基地局のみが前記移動局と共用チャネルを設定してパケット送信を行うようにしたセルラシステムにおけるパケット送信基地局であって、
前記パケット送信中に、前記個別チャネルの当該基地局での目標受信品質を第一の値からそれより大なる第二の値に変更制御する手段を有することを特徴とする基地局。
【請求項３８】  移動局と、この移動局とソフトハンドオーバ状態にあって前記移動局と個別チャネルを設定する複数の基地局とを含み、前記個別チャネルは上り及び下り個別チャネルがあり、これ等個別チャネルには互いに他の個別チャネルのための送信電力制御情報が含まれており、ソフトハンドオーバ状態にある基地局のうち特定基地局のみが前記移動局と共用チャネルを設定してパケット送信を行うようにしたセルラシステムにおけるパケット送信基地局であって、
前記パケット送信中に、下り個別チャネルに含まれる送信電力制御情報の送信電力を第一の値からそれより大なる第二の値に変更制御する手段を有することを特徴とする基地局。
【請求項３９】  移動局と、この移動局とソフトハンドオーバ状態にあって前記移動局と個別チャネルを設定する複数の基地局とを含み、前記ソフトハンドオーバ状態にある基地局間における前記個別チャネルの送信電力のバランシングを、基準電力を用いて行い、前記ソフトハンドオーバ状態にある基地局のうち特定基地局のみが前記移動局と共用チャネルを設定してパケット送信を行うようにしたセルラシステムにおけるパケット送信基地局であって、
前記パケット送信中に、前記基準電力の値を第一の値からより大なる第二の値に変更制御する手段を含むことを特徴とする基地局。
【請求項４０】  前記基準電力の値を大にすると同時に、下り個別チャネルの送信電力の値を第一の値からより大なる第二の値に変更制御する手段を、更に含むことを特徴とする請求項３９記載の基地局。
【請求項４１】  移動局と、この移動局とソフトハンドオーバ状態にあって前記移動局と個別チャネルを設定する複数の基地局とを含み、ソフトハンドオーバ状態にある基地局のうち特定基地局のみが前記移動局と共用チャネル（ＨＳ−ＰＤＳＣＨ）を設定してパケット送信を行い、前記移動局は、パケット送信基地局に対して、上り個別チャネルの送信電力に所定オフセット電力を加算した送信電力で、前記パケットの受領確認通知（ＡＣＫ／ＮＡＣＫ）情報を含むＨＳ−ＰＤＳＣＨ用個別制御チャネル（ＨＳ−ＤＰＣＣＨ）を送信するようにしたセルラシステムにおけるパケット送信基地局であって、
前記受領確認通知の判定結果の信頼度に応じて前記パケットの送信制御をなすパケット送信制御手段を有することを特徴とする基地局。
【請求項４２】  前記パケット送信制御手段は、前記信頼度が所定閾値より大なる場合に、前記受領確認通知の判定結果に従った制御をなすことを特徴とする請求項４１記載の基地局。
【請求項４３】  前記パケット送信制御手段は、前記信頼度が所定閾値より小なる場合に、前記受領確認通知を常に否（ＮＡＣＫ）であると判定することを特徴とする請求項４１記載の基地局。
【請求項４４】  前記パケット送信制御手段は、前記受領確認通知が可（ＡＣｋ）であることを示す旨の判定を行った場合に、前記信頼度に応じた送信制御をなすようにしたことを特徴とする請求項４１〜４３いずれか記載の基地局。
【請求項４５】  前記信頼度は、前記ＨＳ−ＤＰＣＣＨの受信品質であることを特徴とする請求項４１〜４４いずれか記載の基地局。
【請求項４６】  移動局と、この移動局とソフトハンドオーバ状態にあって前記移動局と個別チャネルを設定する複数の基地局とを含み、前記個別チャネルは上り及び下り個別チャネルがあり、これ等個別チャネルには互いに他の個別チャネルのための送信電力制御情報が含まれており、ソフトハンドオーバ状態にある基地局のうち特定基地局のみが前記移動局と共用チャネルを設定してパケット送信を行うようにしたセルラシステムにおける移動局であって、
前記パケット受信中に、前記パケット送信基地局からの下り個別チャネルに含まれる送信電力制御情報のみに基づいて上り個別チャネルの送信電力制御をなす送信電力制御手段を有することを特徴とする移動局。
【請求項４７】  前記送信電力制御手段は、前記上り個別チャネルの送信電力の上げ幅を、下げ幅よりも大に設定することを特徴とする請求項４６記載の移動局。
【請求項４８】  移動局と、この移動局とソフトハンドオーバ状態にあって前記移動局と個別チャネルを設定する複数の基地局とを含み、前記個別チャネルは上り及び下り個別チャネルがあり、これ等個別チャネルには互いに他の個別チャネルのための送信電力制御情報が含まれており、ソフトハンドオーバ状態にある基地局のうち特定基地局のみが前記移動局と共用チャネルを設定してパケット送信を行うようにしたセルラシステムにおける移動局であって、
前記パケット受信中に、前記個別チャネルの当該移動局での目標受信品質を第一の値からそれより大なる第二の値に変更制御する手段を有することを特徴とする移動局。
【請求項４９】  移動局と、この移動局とソフトハンドオーバ状態にあって前記移動局と個別チャネルを設定する複数の基地局とを含み、前記個別チャネルは上り及び下り個別チャネルがあり、これ等個別チャネルには互いに他の個別チャネルのための送信電力制御情報が含まれており、ソフトハンドオーバ状態にある基地局のうち特定基地局のみが前記移動局と共用チャネルを設定してパケット送信を行うようにしたセルラシステムにおける移動局であって、
前記パケット受信中に、パケット送信基地局からの前記個別チャネルの当該移動局での受信品質のみに基づき下り個別チャネルの前記電力制御情報を生成する手段を有することを特徴とする移動局。
【請求項５０】  移動局と、この移動局とソフトハンドオーバ状態にあって前記移動局と個別チャネルを設定する複数の基地局とを含み、ソフトハンドオーバ状態にある基地局のうち特定基地局のみが前記移動局と共用チャネル（ＨＳ−ＰＤＳＣＨ）を設定してパケット送信を行い、前記移動局は、パケット送信基地局に対して、上り個別チャネルの送信電力に所定オフセット電力を加算した送信電力で、前記パケットの受領確認通知情報を含むＨＳ−ＰＤＳＣＨ用個別制御チャネル（ＨＳ−ＤＰＣＣＨ）を送信するようにしたセルラシステムにおける移動局であって、
前記ソフトハンドオーバ中の各基地局の下り回線の受信品質に応じて前記オフセット電力の増分を決定するオフセット電力決定手段を有することを特徴とする移動局。
【請求項５１】  前記オフセット電力決定手段は、前記下り回線における共通パイロット信号の各受信電力を測定してこれ等測定結果に応じて前記オフセット電力の増分を決定することを特徴とする請求項５０記載の移動局。
【請求項５２】  前記ソフトハンドオーバ中の各基地局に対応する測定結果がＲＰｉ（ｉは１〜Ｎの整数であり、Ｎは当該基地局の数）であり、パケット送信基地局に対応する測定結果がＲＰ１である場合に、前記オフセット電力決定手段は、前記増分を、
１０×ｌｏｇ10｛ｍａｘ（ＲＰｉ）／ＲＰ１｝      （ｄＢ）
（ｍａｘ（ＲＰｉ）はＲＰｉの最大値）
とすることを特徴とする請求項５１記載の移動局。
【請求項５３】  移動局と、この移動局とソフトハンドオーバ状態にあって前記移動局と個別チャネルを設定する複数の基地局とを含み、ソフトハンドオーバ状態にある基地局のうち特定基地局のみが前記移動局と共用チャネル（ＨＳ−ＰＤＳＣＨ）を設定してパケット送信を行い、前記移動局は、パケット送信基地局に対して、上り個別チャネルの送信電力に所定オフセット電力を加算した送信電力で、前記パケットの受領確認通知情報を含むＨＳ−ＰＤＳＣＨ用個別制御チャネル（ＨＳ−ＤＰＣＣＨ）を送信するようにしたセルラシステムにおける移動局であって、
前記ソフトハンドオーバ中の各基地局の数Ｎに応じて前記オフセット電力の増分を決定するオフセット電力決定手段を有することを特徴とする移動局。
【請求項５４】  前記オフセット電力決定手段は、前記増分を、
１０×ｌｏｇ10Ｎ      （ｄＢ）
とすることを特徴とする請求項５３記載の移動局。
【請求項５５】  移動局と、前記移動局と個別チャネルを設定する基地局とを含み、前記個別チャネルは上り及び下り個別チャネルがあり、下り個別チャネルには上り個別チャネルのための送信電力制御情報が含まれており、上り個別チャネルは、個別制御チャネル（ＤＰＣＣＨ）と個別情報チャネル（ＤＰＤＣＨ）から構成されており、前記基地局は、前記移動局と共用チャネル（ＨＳ−ＰＤＳＣＨ）を設定してパケット送信を行い、前記移動局は、パケット送信基地局に対して、上り個別制御チャネルの送信電力に所定の第一オフセット値を加算した送信電力で、個別情報チャネルを送信するようにしたセルラシステムであって、
前記移動局は、前記送信電力制御情報に応じてＤＰＣＣＨの送信電力を制御し、ＤＰＣＣＨの送信電力に前記第一オフセット値を加算した送信電力でＤＰＤＣＨを送信するとき、ＤＰＣＣＨとＤＰＤＣＨとを含む信号の送信電力が所定の最大送信電力を超える場合には、ＤＰＤＣＨの送信電力を抑制する送信電力抑制手段を有することを特徴とするセルラシステム。
【請求項５６】  前記移動局は、上り個別制御チャネルの送信電力に所定の第二オフセット値を加算した送信電力で、前記パケットの送信制御情報を含むＨＳ−ＰＤＳＣＨ用個別制御チャネル（ＨＳ−ＤＰＣＣＨ）をさらに送信し、ＤＰＣＣＨの送信電力に前記第一オフセット値を加算した送信電力でＤＰＤＣＨを送信するとＤＰＣＣＨ、ＤＰＤＣＨ、及びＨＳ−ＤＰＣＣＨを含む信号の送信電力が所定の最大送信電力を超える場合には、ＤＰＤＣＨの送信電力を抑制する送信電力抑制手段を有することを特徴とする請求項５５記載のセルラシステム。
【請求項５７】  前記移動局とソフトハンドオーバ状態にあって前記移動局と個別チャネルを設定する複数の基地局とを含み、ソフトハンドオーバ状態にある基地局のうち特定基地局のみが前記移動局とＨＳ−ＰＤＳＣＨを設定してパケット送信を行い、前記移動局は、パケット送信基地局からの下り個別チャネルに含まれる送信電力制御情報のみに基づいてＤＰＣＣＨの送信電力制御をなす送信電力制御手段を有することを特徴とする請求項５５または５６記載のセルラシステム。
【請求項５８】  前記送信制御情報は、受領確認通知情報であることを特徴とする請求項５５〜５７いずれか記載のセルラシステム。
【請求項５９】  移動局と、前記移動局と個別チャネルを設定する基地局とを含み、前記個別チャネルは上り及び下り個別チャネルがあり、下り個別チャネルには上り個別チャネルのための送信電力制御情報が含まれており、上り個別チャネルは、個別制御チャネル（ＤＰＣＣＨ）と個別情報チャネル（ＤＰＤＣＨ）から構成されており、前記基地局は、前記移動局と共用チャネル（ＨＳ−ＰＤＳＣＨ）を設定してパケット送信を行い、前記移動局は、パケット送信基地局に対して、上り個別制御チャネルの送信電力に所定の第一オフセット値を加算した送信電力で、個別情報チャネルを送信するようにしたセルラシステムであって、
前記移動局は、前記送信電力制御情報に応じてＤＰＣＣＨの送信電力を制御するステップと、ＤＰＣＣＨの送信電力に前記第一オフセット値を加算した送信電力でＤＰＤＣＨを送信するとＤＰＣＣＨとＤＰＤＣＨとを含む信号の送信電力が所定の最大送信電力を超える場合には、ＤＰＤＣＨの送信電力を抑制するステップを有することを特徴とする通信制御方法。
【請求項６０】  前記移動局は、上り個別制御チャネルの送信電力に所定の第二オフセット値を加算した送信電力で、前記パケットの送信制御情報を含むＨＳ−ＰＤＳＣＨ用個別制御チャネル（ＨＳ−ＤＰＣＣＨ）をさらに送信するステップと、ＤＰＣＣＨの送信電力に前記第一オフセット値を加算した送信電力でＤＰＤＣＨを送信するとＤＰＣＣＨ、ＤＰＤＣＨ、及びＨＳ−ＤＰＣＣＨを含む信号の送信電力が所定の最大送信電力を超える場合には、ＤＰＤＣＨの送信電力を抑制するステップを、更に含むことを特徴とする請求項５９記載の通信制御方法。
【請求項６１】  前記移動局とソフトハンドオーバ状態にあって前記移動局と個別チャネルを設定する複数の基地局とを含み、ソフトハンドオーバ状態にある基地局のうち特定基地局のみが前記移動局とＨＳ−ＰＤＳＣＨを設定してパケット送信を行い、前記移動局は、パケット送信基地局からの下り個別チャネルに含まれる送信電力制御情報のみに基づいてＤＰＣＣＨの送信電力制御をなすステップを、更に含むことを特徴とする請求項５９または６０記載の通信制御方法。    【請求項６２】  前記送信制御情報は、受領確認通知情報であることを特徴とする請求項５９〜６１いずれか記載の通信制御方法。
【請求項６３】  移動局と、前記移動局と個別チャネルを設定する基地局とを含み、前記個別チャネルは上り及び下り個別チャネルがあり、下り個別チャネルには上り個別チャネルのための送信電力制御情報が含まれており、上り個別チャネルは、個別制御チャネル（ＤＰＣＣＨ）と個別情報チャネル（ＤＰＤＣＨ）から構成されており、前記基地局は、前記移動局と共用チャネル（ＨＳ−ＰＤＳＣＨ）を設定してパケット送信を行い、前記移動局は、パケット送信基地局に対して、上り個別制御チャネルの送信電力に所定の第一オフセット値を加算した送信電力で、個別情報チャネルを送信するようにしたセルラシステムにおける移動局であって、
前記送信電力制御情報に応じてＤＰＣＣＨの送信電力を制御し、ＤＰＣＣＨの送信電力に前記第一オフセット値を加算した送信電力でＤＰＤＣＨを送信するとＤＰＣＣＨとＤＰＤＣＨとを含む信号の送信電力が所定の最大送信電力を超える場合には、ＤＰＤＣＨの送信電力を抑制する送信電力抑制手段を有することを特徴とする移動局。
【請求項６４】  上り個別制御チャネルの送信電力に所定の第二オフセット値を加算した送信電力で、前記パケットの送信制御情報を含むＨＳ−ＰＤＳＣＨ用個別制御チャネル（ＨＳ−ＤＰＣＣＨ）をさらに送信し、ＤＰＣＣＨの送信電力に前記第一オフセット値を加算した送信電力でＤＰＤＣＨを送信するとＤＰＣＣＨ、ＤＰＤＣＨ、及びＨＳ−ＤＰＣＣＨを含む信号の送信電力が所定の最大送信電力を超える場合には、ＤＰＤＣＨの送信電力を抑制する送信電力抑制手段を有することを特徴とする請求項５５記載の移動局。
【請求項６５】  複数の基地局と個別チャネルを設定するソフトハンドオーバ状態にあって、ソフトハンドオーバ状態にある基地局のうち特定基地局のみとＨＳ−ＰＤＳＣＨを設定してパケットを受信し、パケット送信基地局からの下り個別チャネルに含まれる送信電力制御情報のみに基づいてＤＰＣＣＨの送信電力制御をなす送信電力制御手段を有することを特徴とする請求項５５または５６記載の移動局。
【請求項６６】  前記送信制御情報は、受領確認通知情報であることを特徴とする請求項５５〜５７いずれか記載の移動局。
【請求項６７】  移動局と、この移動局とハンドオーバ状態にあって前記移動局と上り個別チャネル及び下り個別チャネルを設定する複数の基地局からなるセルラシステムであって、
前記基地局の１つは、パケット送信基地局として共用チャネルを用いて移動局へのパケット送信を行い、
前記移動局は、前記下り個別チャネルで受信する信号の目標ＳＩＲを制御することにより、パケット送信基地局のみからの前記上り個別チャネルの送信電力制御信号の受信品質を制御する手段を有することを特徴とするセルラ通信システム。
【請求項６８】  前記移動局は、さらに前記目標ＳＩＲに基づいて前記下り個別チャネルの送信電力を制御する送信電力制御信号を生成し、該送信電力制御信号を前記上り個別チャネルにより前記パケット送信局に送信することを特徴とする請求項６７記載のセルラシステム。
【請求項６９】  複数の基地局と上り個別チャネル及び下り個別チャネルを設定してハンドオーバを行う移動局であって、
前記複数の基地局のうちのパケットを送信するパケット送信基地局から共用チャネルを用いてパケットを受信する手段と、前記下り個別チャネルで受信する信号の目標ＳＩＲを制御することにより、パケット送信基地局のみからの前記上り個別チャネルの送信電力制御信号の受信品質を制御する手段とを有することを特徴とする移動局。
【請求項７０】  前記目標ＳＩＲに基づいて前記下り個別チャネルの送信電力を制御する送信電力制御信号を生成し、該送信電力制御信号を前記上り個別チャネルにより前記パケット送信局に送信する手段を、さらに有することを特徴とする請求項６９記載の移動局。
【請求項７１】  複数の基地局と上り個別チャネル及び下り個別チャネルを設定してハンドオーバを行う移動局における通信制御方法であって、
前記複数の基地局のうちのパケットを送信するパケット送信基地局から共用チャネルを用いてパケットを受信するステップと、前記下り個別チャネルで受信する信号の目標ＳＩＲを制御することにより、パケット送信基地局のみからの前記上り個別チャネルの送信電力制御信号の受信品質を制御するステップとを有することを特徴とする通信制御方法。
【請求項７２】  前記目標ＳＩＲに基づいて前記下り個別チャネルの送信電力を制御する送信電力制御信号を生成し、該送信電力制御信号を前記上り個別チャネルにより前記パケット送信局に送信するステップを、さらに有することを特徴とする請求項７１記載の通信制御方法。
【請求項７３】  移動局と、この移動局とハンドオーバ状態にあって前記移動局と上り個別チャネル及び下り個別チャネルを設定する複数の基地局からなるセルラシステムであって、
前記基地局の１つは、パケット送信基地局として共用チャネルを用いて移動局へのパケット送信を行い、
前記移動局は、前記複数の基地局のうち前記パケット送信基地局のみからの下り個別チャネルにより受信する信号に基づいて、前記下り個別チャネルの送信電力制御信号を生成し、該送信電力制御信号を前記上り個別チャネルで送信する手段を有することを特徴とするセルラシステム。
【請求項７４】  複数の基地局と上り個別チャネル及び下り個別チャネルを設定してハンドオーバを行う移動局であって、
前記複数の基地局のうちのパケットを送信するパケット送信基地局から共用チャネルを用いてパケットを受信する手段と、前記複数の基地局のうち前記パケット送信基地局のみからの下り個別チャネルにより受信する信号に基づいて、前記下り個別チャネルの送信電力制御信号を生成し、該送信電力制御信号を前記上り個別チャネルで送信する手段とを有することを特徴とする移動局。
【請求項７５】  複数の基地局と上り個別チャネル及び下り個別チャネルを設定してハンドオーバを行う移動局における通信制御方法であって、
前記移動局において、
前記複数の基地局のうちのパケットを送信するパケット送信基地局から共用チャネルを用いてパケットを受信するステップと、
前記複数の基地局のうち前記パケット送信基地局のみからの下り個別チャネルにより受信する信号に基づいて、前記下り個別チャネルの送信電力制御信号を生成し、該送信電力制御信号を前記上り個別チャネルで送信するステップとを有することを特徴とする通信制御方法。